【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
入力映像信号の水平同期信号と垂直同期信号とにおける立ち上がりエッジまたは立ち下りエッジを検出して微分演算することで、前記水平同期信号に同期した水平微分信号と、前記垂直同期信号に同期した垂直微分信号とを出力する微分演算回路と、
水平期間及び垂直期間の開始位置及び終了位置を検知し、前記水平微分信号及び垂直微分信号に応じて、画面上の垂直方向及び水平方向の任意の位置に設定されるサンプルウィンドウ信号を生成するサンプルウィンドウ回路と、
前記サンプルウィンドウ回路が有効である場合において、サンプリングされた輝度信号を選択的に出力する輝度信号出力回路と、
を備える輝度信号処理装置。
【請求項２】
入力映像信号の水平同期信号と垂直同期信号における立ち上がりエッジまたは立ち下がりエッジを検出して微分演算することで、前記水平同期信号に同期した水平微分信号と前記垂直同期信号に同期した垂直微分信号とを出力する微分演算回路と、
前記水平微分信号でリセットをかけることで、１水平期間における画素数をカウントする第１のカウンタ回路と、
前記水平微分信号と前記第１のカウンタ回路の出力信号との論理積処理を行う第１の論理積回路と、
前記第１の論理積回路の出力信号をクロック単位で遅延させる第１の遅延回路と、
前記第１の遅延回路の出力信号から、１水平期間において間引く画素数を調整しながら間引く水平方向間引き調整回路と、
サンプルウィンドウ期間の水平期間の開始位置を設定する水平期間始点信号と、終了位置を設定する水平期間終点信号との供給を受けて、前記水平方向間引き調整回路の出力結果と前記水平期間始点信号とが一致する点をセットとし、前記水平方向間引き調整回路の出力結果と前記水平期間終点信号とが一致する点をリセットとする水平期間における第１のサンプリング有効期間を設定する第１のセットリセット回路と、
前記第１のサンプリング有効期間と前記水平方向間引き調整回路の出力結果との一致箇所を検出する第２の論理積回路と、
前記第２の論理積回路の出力信号をＮ画素分（Ｎは１以上の自然数）遅延させる第２の遅延回路と、
前記水平微分信号から、水平周期単位で反転を繰り返すサンプリング画素位置切替信号を生成する第１のサンプリング画素位置切替信号生成回路と、
前記サンプリング画素位置切替信号に基づいて、前記第２の論理積回路の出力信号と前記第２の遅延回路の出力信号とのなかからひとつを選択して、サンプルウィンドウ信号として出力する第１の選択回路と、
を備える輝度信号処理装置。
【請求項３】
請求項２の輝度信号処理装置において
前記第１のサンプリング画素位置切替信号生成回路は、
前記水平微分信号がクロックとして供給される遅延回路と、
前記遅延回路の出力をカウントアップする加算回路と、
を備える輝度信号処理装置。
【請求項４】
請求項２の輝度信号処理装置において、さらに、
１垂直期間における全ライン数をカウントする第２のカウンタ回路と、
前記垂直微分信号と前記第２のカウンタ回路の出力信号との論理積処理を行う第３の論理積回路と、
前記水平微分信号で前記第３の論理積回路の出力信号をロードホールドするロードホールド回路と、
前記ロードホールド回路の出力信号に基づいて、１垂直期間における全ラインから、間引きライン数を調整しながら間引く垂直方向間引き調整回路と、
前記垂直方向間引き調整回路の出力信号をビットシフトした信号と前記垂直期間始点信号とを比較する第３の比較回路と、
前記垂直方向間引き調整回路の出力信号をビットシフトした信号と前記垂直期間終点信号とを比較する第４の比較回路と、
前記第３の比較回路による比較結果と前記第４の比較回路による比較結果とに基づいて第２のサンプリング有効期間信号を生成する第２のセットリセット回路と、
前記第２のサンプリング有効期間信号と前記垂直方向間引き調整回路の出力信号との論理積処理を行う第４の論理積回路と、
前記第４の論理積回路の出力信号から、所定の間引きライン数ごとに反転を繰り返すサンプリング画素位置切替信号を生成するサンプリング画素位置切替信号生成回路と、
前記第１の選択回路の出力信号と前記第４の論理積回路の出力信号との論理積処理を行ってサンプルウィンドウ信号を生成する第５の論理積回路と、
を備える輝度信号処理装置。
【請求項５】
請求項４に記載の輝度信号処理装置において、さらに、
前記サンプリング画素位置切替信号を反転させて反転サンプリング画素位置切替信号を生成する反転回路と、
前記垂直微分信号から垂直周期で反転を繰り返すフィールド切替信号を生成するフィールド切替信号生成回路と、
前記フィールド切替信号に基づいて前記サンプリング画素位置切替信号と前記反転サンプリング画素位置切替信号とのなかからひとつを選択する第２の選択回路と
を備え、
前記第１の選択回路は、前記サンプリング画素位置切替信号生成回路によるサンプリング画素位置切替信号に代えて前記第２の選択回路からのサンプリング画素位置切替信号によって制御される、
輝度信号処理装置。
【請求項６】
請求項５に記載の輝度信号処理装置において、前記フィールド切替信号生成回路は、
前記垂直微分信号がクロックとして供給される遅延回路と、
前記遅延回路の出力をカウントアップする加算回路と、
を備える輝度信号処理装置。
【請求項７】
請求項４の輝度信号処理装置において、
前記水平方向間引き調整回路に代えて、互いに間引き画素間隔を異にする複数の水平方向間引き調整回路が設けられ、
前記第２の遅延回路の出力信号および前記第１の選択回路の出力信号に代えて、前記複数の水平方向間引き調整回路の出力信号から、前記サンプリング画素位置切替信号に基づいてひとつの出力信号を選択して前記第２の論理積回路に出力する選択回路を備える、
輝度信号処理装置。
【請求項８】
請求項４に記載の輝度信号処理装置において、
前記サンプリング画素位置切替信号生成回路は、前記第４の論理積回路の出力信号から、サンプリング画素位置切替信号を生成することに代えて、前記垂直微分信号から、１垂直期間ごとに前記第１の選択回路の制御を行うフィールド切替信号を生成する、
輝度信号処理装置。
【請求項９】
請求項４に記載の輝度信号処理装置において、
前記垂直方向間引き調整回路に代えて、互いに間引きライン間隔を異にする複数の垂直方向間引き調整回路が設けられ、
前記第２の遅延回路、前記第１の選択回路および前記サンプリング画素位置切替信号生成回路に代えて、
前記垂直微分信号から、垂直周期で反転を繰り返すフィールド切替信号を生成するフィールド切替信号生成回路と、
前記複数の垂直方向間引き調整回路の出力信号から、前記フィールド切替信号に基づいてひとつの出力信号を選択して前記第４の論理積回路に出力する選択回路と、
を備える輝度信号処理装置。
【請求項１０】
請求項５の輝度信号処理装置において、
前記サンプリング画素位置切替信号生成回路は、前記第４の論理積回路の出力信号に代えて、前記垂直方向間引き調整回路の出力信号に基づいて前記サンプリング画素位置切替信号を生成し、
さらに、
前記水平方向間引き調整回路の出力信号をリセット信号にしてサンプリングライン位置が変更されるサンプリングライン位置切替信号を生成するサンプリングライン位置切替信号生成回路と、
前記サンプリングライン位置切替信号を反転させる反転回路と、
前記垂直微分信号をリセット信号にしてサンプリングライン位置が切り替わるフィールド切替信号を生成するフィールド切替信号生成回路と、
前記フィールド切替信号に基づいて、前記サンプリングライン切替信号と、前記反転回路の出力とのうちのひとつを選択する第３の選択回路と、
前記垂直方向間引き調整回路の出力信号を遅延させて垂直方向におけるラインごとのサンプリング画素位置を切り替えるラインメモリと、
前記第３の選択回路の出力信号に基づいて、前記垂直方向間引き調整回路の出力信号と前記ラインメモリ回路の出力信号とのうちのひとつを選択する第４の選択回路と、
を備える輝度信号処理装置。
【請求項１１】
請求項５に記載の輝度信号処理装置において、
前記フィールド切替信号生成回路は、前記垂直微分信号をリセット信号にして複数フィールド単位で前記第２の選択回路を切り替えるフィールド切替信号を生成し、このフィールド切替信号に基づいて複数フィールドごとにサンプリングライン位置を切り替える、
輝度信号処理装置。
【請求項１２】
入力映像信号の水平同期信号と垂直同期信号における立ち上がりエッジまたは立ち下がりエッジを検出して微分演算することで前記水平同期信号に同期した水平微分信号及び前記垂直同期信号に同期した垂直微分信号を出力する微分演算ステップと、
水平期間及び垂直期間の開始位置及び終了位置を検知したうえで、画面上の垂直方向及び垂直方向の任意の位置に設定されるサンプルウィンドウ信号を、前記水平微分信号と垂直微分信号とに基づいて生成するサンプルウィンドウ生成ステップと、
前記サンプルウィンドウ信号が有効である場合において、サンプリングされた輝度信号を選択的に出力する軌道信号出力ステップと、
を含む輝度信号処理方法。